(57)【特許請求の範囲】
【請求項１】
前面の窓枠部分を除いた主要な構成部材である屋根パネルと床パネル及び左右の両側パネルと前面桁パネルを、板状断熱材の表裏両面に下地板を接着して一体化させた複合断熱パネルで構成し、左右の両側パネルは後端面の下地板間に切欠溝を形成すると共に、内面側の上方と下方に前面桁パネルと床パネルに対する係止部材を装着し、躯体部の柱に取り付けた左右の縦桟木に切欠溝を嵌合して固着手段で左右の両側パネルが固着され、下方の係止部材は床パネルの左右両端面の下地板間に形成した切欠溝に嵌合して固着手段で固着され、上方の係止部材は前面桁パネル左右両端面の下地板間に形成した切欠溝に嵌合して固着手段で固着されていることを特徴とする出窓。
【請求項２】
予め所定寸法に裁断（プレカット）した各構成部材を現場に搬入し、建物本体側の躯体部に順次組み付けて構築する出窓の構築方法であり、屋根パネルと床パネル及び左右の両側パネルと前面桁パネルを主要な構成部材とし、これらの各パネルは板状断熱材の表裏両面に下地板を接着して一体化させた複合断熱パネルを用い、躯体部の柱に位置決めして取り付けた左右の縦桟木に対し、後端面の下地板間に形成した切欠溝を嵌合して左右の両側パネル後端を取り付ける工程と、左右の両側パネルの底部側内面に設けた前後方向に沿う係止部材に対し、両端に形成した切欠溝を嵌合してスライドさせながら組み付けて床パネルを取り付ける工程と、左右の両側パネル間の上部前面側に設けた係止部材に対し、両端に形成した切欠溝を嵌合させて前面桁パネルを取り付ける工程と、左右の両側パネル及び前面桁パネルの上面に屋根パネルを載置して取り付ける工程と、前面桁パネルと床パネル及び左右の両側パネルが形成する前面開口部に窓枠を取り付ける工程を備えていることを特徴とする出窓の構築方法。
（以上）
【発明の詳細な説明】
【０００１】
【発明の属する技術分野】
本発明は、出窓とその構築方法に関するものであり、特に断熱性と遮音性に優れた出窓及び施工が容易な出窓の構築方法に関する。
【０００２】
【従来の技術】
この種の出窓は、屋根部と床部及び左右の両袖部と前面開口部の窓枠を一体にした出窓枠体を建物本体の躯体側から突設させると共に、前面開口部の窓枠にガラス戸をはめ込んだ構成であって、これらの各部は屋根部と床部はアルミ板材で構成し、両袖部はアルミ枠材にガラス板を装着して構成し、前面開口部の窓枠はアルミサッシなどで構成したものが多く採用されている。
前記出窓の構築する場合には、予め工場で出窓ユニットとして一セットで製作したものを、出窓枠体からガラス戸及びガラス板を取り外した状態で現場に搬入し、建物本体の躯体側に対して出窓枠体を取り付けた後に、両袖部の枠体に対するガラス板の装着及び窓枠に対するガラス板のはめ込みを行う。
【０００３】
【発明が解決しようとする課題】
従来の出窓構造では、ガラスに比べて約２８０倍も熱伝導率が大きいアルミ材で出窓枠体を構成しているので断熱性に乏しく、特に寒冷地では出窓枠体を介して冷たい外気が室内側へ伝導して室温を著しく低下させると共に、室内側の出窓枠体面に生じた結露水によって内装に使用されている木質部材を変質又は劣化させたり、金属部材を腐食させたりする恐れがある。
【０００４】
また、ガラス戸の部分は致し方ないとしても屋根部や左右の両袖部における遮音性が乏しいので、雨天の日には雨音の反響音が吸収されずにむしろ共鳴して増幅される場合もあって耳障りであり、生活環境を損ねる恐れもある。
【０００５】
更に、アルミ材で一体形成した出窓枠体は大型で重量もあるので、現場へ搬送する際の取り扱いが不便で運送費も嵩むこと、在庫として保管しておく際に多くのスペースを必要とすること、現場で建物本体の躯体側に取り付ける際に支持する作業が大変であって、重機を用いたり二人以上の作業者が必要になってコスト高になり、また安全の確保に注意を要するなど施工上の課題もあった。
【０００６】
そこで本発明では、これらの従来技術が課題としていた点を改善するためのものであって、その目的は、結露現象が生じ難い優れた断熱性と雨音による反響音を吸収し得る優れた遮音性を備えた出窓と、この出窓を容易且つ安価に施工することが可能な出窓の構築方法を提供することである。
【０００７】
【課題を解決するための手段】
本発明の出窓は、前面の窓枠部分を除いた主要な構成部材である屋根パネルと床パネル及び左右の両側パネルと前面桁パネルを、板状断熱材の表裏両面に下地板を接着して一体化させた複合断熱パネルで構成した。（請求項１）
【０００８】
請求項１による出窓では、窓枠部分を除いて非金属材で構成されており、特に主要な構成部材である屋根と床及び左右の両側と前面桁は、一体化させた複合断熱パネルで構成されているので、断熱性に優れて結露などの発生は著しく軽減されると共に、これらの各パネルに当たって発生する雨音は吸収されて著しく軽減され、快適な生活環境が維持できる。
【０００９】
また、板状断熱材の表裏両面に合板などの下地板を接着した各パネルは、圧縮及び曲げ応力に対して十分な耐力を有し、強固な出窓を構成することができると共に、軽量であるので建物本体側の躯体部に対して変形させるような過大な負担を与えることがない。
【００１０】
本発明の出窓の構築方法は、予め所定寸法に裁断（プレカット）した各構成部材を現場に搬入し、建物本体側の躯体部に順次組み付けて構築する出窓の構築方法であって、屋根パネルと床パネル及び左右の両側パネルと前面桁パネルを主要な構成部材とし、これらの各パネルは板状断熱材の表裏両面に下地板を接着して一体化させた複合断熱パネルを用いて施工した。（請求項２）
【００１１】
請求項２による出窓の構築方法では、各パネル材として複合断熱パネルを用いているので軽量であり、重機などを使用せず一人の作業者でも容易且つ安全に作業を行うことができること、プレカットした構成部材を手順に沿って順次組み付けていけば完成するので施工性が良く、短時間で組み付けが可能である。
【００１２】
また、主要な構成部材をプレカットしておくと、量産して安価に提供することができることは勿論であるが、各構成部材は何れも板状又は棒状であって而も複合断熱パネルの使用で軽量化されるために、現場へ搬送する際における取り扱いが容易で且つ運送費を安価にでき、また工場に在庫しておく場合には広いスペースを必要とせずに在庫管理が容易になる。
【００１３】
請求項２の出窓の構築方法において、躯体部の柱に位置決めして取り付けた左右の縦桟木に左右の両側パネル後端を取り付ける工程と、左右の両側パネル間の底部側に床パネルを取り付ける工程と、左右の両側パネル間の上部前面側に前面桁パネルを取り付ける工程と、左右の両側パネル及び前面桁パネルの上面に屋根パネルを載置して取り付ける工程と、前面桁パネルと床パネル及び左右の両側パネルが形成する前面開口部に窓枠を取り付ける工程を備えた方法を採ることができる。（請求項３）
【００１４】
請求項３による出窓の構築方法では、少ない構成部材と簡単な手順によって施工することができるので、熟練者でなくとも均質な出窓を容易且つ安全に構築することができる。
【００１５】
請求項３の出窓の構築方法において、前記左右の両側パネルの後端に切欠溝を設け、この切欠溝に前記縦桟木を嵌合させた状態で左右の両側パネル後端を躯体部の柱に取り付ける方法を採ることができる。（請求項４）
【００１６】
請求項４による出窓の構築方法では、左右の両側パネルを躯体部の柱に対して正確に位置決めしておけば、その後は各構成部材を手順に沿って順次組み付けて行くだけで、出窓全体を正確に位置決めして構築することができる。
【００１７】
請求項３又は４の出窓の構築方法において、前記床パネルは、前記左右の両側パネルの底部側内面に設けた前後方向に沿う係止部材に対し、両端に形成した切欠溝を嵌合させた状態で当該係止部材に支持され、両側パネル間をスライドさせながら組み付けされる方法を採ることができる。（請求項５）
【００１８】
請求項５による出窓の構築方法では、左右の両側パネルに支持された状態で容易且つ安全に而も正確に位置決めされて組み付けすることができる。
【００１９】
【発明の実施の形態】
以下に、本発明による出窓とその構築方法に付いて、好適な実施形態を示す添付した図１乃至図４に基づいて詳細に説明するが、図１は本発明の実施形態による出窓の組立状態における縦断面図を示し、図２は図１の出窓の主要構成部材を分解斜視図で示し、図３及び図４は図１の出窓における連結部分の要部拡大図を示す。
【００２０】
出窓は、図１で示すように、上下に配設した屋根パネル１と床パネル２、左右の両側に配設した右側面パネル３及び左側面パネル４、屋根パネル１の直下に配設した前面桁パネル５、建物本体の躯体部１１側へ配設した横桟木６及び縦桟木７，８、前面の窓側開口部９に配設した窓枠１０を主要部材として構成される。
【００２１】
躯体部１１には、図２で示すように、左右に立設した柱１２，１３間を上下の横架材１４，１５で連結して方形状の本体側開口部１６を設け、出窓を構築するために用いる前記した主要な構成部材は、予め工場で所定の形状寸法に裁断加工（プレカット）された状態で建築現場へ搬入され、本体側開口部１６の前方に対して所定の手順に従って順次組み付けて施工される。
【００２２】
このように、主要な構成部材をプレカットしておくと、量産して安価に提供することができることは勿論であるが、各構成部材は何れも板状又は棒状であって而も軽量（特に後述する複合断熱パネルを用いたことにより）であるために、現場へ搬送する際における取り扱いが容易で且つ運送費を安価にでき、また工場に在庫しておく場合には広いスペースを必要とせずに在庫管理が容易になる。
【００２３】
屋根パネル１は、例えばポリウレタンやポリエチレンなどの発泡樹脂材による板状断熱材１７の表裏両面に合板などによる下地板１８を接着して一体化させた複合断熱パネルで構成され、板状断熱材１７の前後及び左右の端面部には補強用の枠木材１９，２０が装着されている。
【００２４】
床パネル２は、屋根パネル１の場合と同様に板状断熱材２１の表裏両面に下地板２２を接着して一体化させた複合断熱パネルで構成されると共に、板状断熱材２１の前後の端面部には補強用の枠木材２３が装着されているが、左右の端面部には枠木材が装着されず、下地板２２の間に切欠溝２４が形成されている。
【００２５】
両側パネル３（４）は、屋根パネル１の場合と同様に板状断熱材２５（２６）の表裏両面に下地板２７（２８）を接着して一体化させた複合断熱パネルで構成されると共に、板状断熱材２５（２６）の前及び上下の端面部には補強用の枠木材２９，３０（３１，３２）が装着されているが、後の端面部には枠木材が装着されず、下地板２７（２８）の間に切欠溝３３（３４）が形成されており、屋根パネル１が載置される下地板２７（２８）の上端面は屋根勾配に適合させた傾斜面に形成されている。
【００２６】
また、両側パネル３（４）の内面側の下地板２７（２８）には、上方の前方に短尺の係止部材３５（３６）を装着させ、下方の前方に沿って長尺の係止部材３７（３８）を装着させており、これらの係止部材３５（３６）及び係止部材３７（３８）は木材や合成樹脂材或いはアルミなどの金属材のいずれでも良いが方形状であって、ねじ釘類その他の固着手段４５を介して枠木材２９，３０（３１，３２）に固着されている。
【００２７】
前面桁パネル５は、屋根パネル１の場合と同様に板状断熱材３９の表裏両面に下地板４０を接着して一体化させた複合断熱パネルで構成されると共に、板状断熱材３９の上下の端面部には補強用の枠木材４１が装着されているが、左右の端面部には枠木材が装着されず、下地板４０の間に切欠溝４２が形成されている。
【００２８】
横桟木６及び縦桟木７，８は、何れも方形状をした長尺の木材であって、屋根パネル１が載置されるそれぞれの上端面は屋根勾配に適合させた傾斜面に形成されており、前面の窓側開口部９に配設した窓枠１０には、既存のアルミサッシが使用される。
【００２９】
以上のプレカットされた構成部材を用いて出窓の構築を行う際は、まず図３で詳細を示すように柱１２，１３に対して縦桟木７，８をねじ釘類４３などの固着手段を介して取付け、この縦桟木７，８に切欠溝３３，３４を嵌合させた右側面パネル３及び左側面パネル４をねじ釘類４４などの固着手段を介して取付ける。
【００３０】
次に図４で詳細を示すように、右側面パネル３及び左側面パネル４の係止部材３７（３８）に対して、左右の切欠溝２４を嵌合させた状態で前方から床パネル２を挿入させ、これによって係止部材３７（３８）に架設状態で支持された床パネル２をねじ釘類４４などの固着手段を介して右側面パネル３及び左側面パネル４の係止部材３７（３８）に取付ける。
【００３１】
次に、躯体部１１側の横架材１４近傍の柱１２，１３に対して横桟木６をねじ釘類などの固着手段を介して固着すると共に、右側面パネル３及び左側面パネル４の係止部材３５（３６）に対して、左右の切欠溝４２を嵌合させた状態で上方又は下方から前面桁パネル５を挿入させ、この前面桁パネル５をねじ釘類などの固着手段を介して右側面パネル３及び左側面パネル４を係止部材３５（３６）に取付ける。
【００３２】
次に、屋根パネル１の後端部を横桟木６と縦桟木７，８及び左右の両側パネル３，４上に載置させると共に、中間部を前面桁パネル５上に載置させ、長尺なねじ釘類などの固着手段を介して屋根パネル１の上面側から横桟木６と縦桟木７，８及び左右の両側パネル３，４と前面桁パネル５に取付ける。
【００３３】
窓枠１０は、前面桁パネル５と床パネル２及び両側パネル３，４とで形成された前面の窓側開口部９に嵌め込んで、当該各部の所定個所に対してねじ釘類などの固着手段で取付けた後にガラス戸を嵌め込む。
【００３４】
このようにして組み立てられた出窓は、木造家屋で通常行われているように、屋根仕上げや化粧材による外装及び内装の仕上げ作業を行って完成するが、例えば屋根仕上げの場合には、屋根パネル１に対してカラー鉄板４５などを用いた屋根葺きが行われる。
【００３５】
この出窓の施工では、各パネル材として複合断熱パネルを用いているので軽量であり、重機などを使用せず一人の作業者でも容易且つ安全に作業を行うことができること、プレカットした構成部材を手順に沿って順次組み付けていけば完成するので施工性が良く、例えば１５分程度の短時間で組み付けが可能である。
【００３６】
また、建物本体の躯体部１１の柱１２，１３に対して、左右の両側パネル３，４の後端が連結支持される縦桟木７，８の取付け位置を正確に位置決めしておけば、その後は各構成部材を手順に沿って順次組み付けて行くだけで、出窓全体を正確に位置決めして構築することができる。
【００３７】
また、床パネル２を取付ける際にはその両側に形成した切欠溝２４，２４に対して、左右の両側パネル３，４の内面に取り付けられた係止部材３７，３８を嵌め込んで支持させ、スライドさせながら容易に且つ正確に組み付けすることができ、前面桁パネル５を取付ける際にも両端の切欠部４２，４２に係止部材３５，３６を嵌め込んで、正確に位置決めした状態で組み付けすることができる。
【００３８】
また、屋根パネル１を取付ける際には横桟木６と縦桟木７，８及び左右の両側パネル３，４と前面桁パネル５上に載置させた状態で、屋根パネル１の上面側から容易に固着作業を行うことができる。なお、図示の実施形態では片流れ屋根構造にしたが、寄せ棟屋根その他の屋根構造にすることも可能である。
【００３９】
更に、構築された出窓の構造は、窓枠１０の部分を除いて非金属材で構成されており、特に主要な構成部材である屋根パネル１と床パネル２及び左右の両側パネル３，４と前面桁パネル５は、何れも板状断熱材の表裏両面に合板などの下地板を接着して一体化させた複合断熱パネルで構成されているので、断熱性に優れて結露などの発生は著しく軽減されると共に、これらの各パネルに当たって発生する雨音は吸収されて著しく軽減される。
【００４０】
また、板状断熱材の表裏両面に合板などの下地板を接着した各パネルは、圧縮及び曲げ応力に対して十分な耐力を有し、強固な出窓を構成することができると共に、軽量であるので建物本体側の躯体部１１に対して変形させるような過大な負担を与えることがない。
【図面の簡単な説明】
【図１】本発明の実施形態による出窓の組立状態における縦断面図を示す。
【図２】図１の出窓の主要な構成部材を示す分解斜視図を示す。
【図３】図１の出窓における連結部分の要部拡大図であって、柱に対する左右の両側パネルの取付け状態を示す。
【図４】図１の出窓における連結部分の要部拡大図であって、左右の両側パネルに対する床パネルの取付け状態を示す。
【符号の説明】
１  屋根パネル
２  床パネル
３  左側面パネル
４  右側面パネル
５  前面桁パネル
６  横桟木
７，８  縦桟木
９  窓側開口部
１０  窓枠
１１  （建物本体の）躯体部
１２，１３  柱
１４，１５  横架材
１６  本体側開口部
１７，２１，２５，２６，３９  板状断熱材
１８，２２，２７，２８，２７，２８，４０  下地材
１９，２０，２３，２９，３０，３１，３２，４１  枠木材
２４，３３，３４，４２  切欠溝
３５，３６，３７，３８  係止部材
４３，４４  ねじ釘類
４５  カラー鉄板
【図１】
0003542927.tif 000002
【図２】
0003542927.tif 000003
【図３】
0003542927.tif 000004
【図４】
0003542927.tif 000005